(57)【要約】【課題】  ガイド孔の状態に影響されることなくスムーズに穿孔することができ、装着も容易なプレスリットジャンボーを開示する。【解決手段】  この装置は、ガイドセルと、このガイドセル上を摺動するドリフターと、このドリフターから延長して設置された穿孔ロッドと、この穿孔ロッド先端に設けられたビットと、ガイドセルの先端部に設けられ、穿孔ロッドが挿通可能に支持される先端セントラライザと、セントラライザの前方に延長して装着されたガイドチューブロッドと、穿孔ロッドをガイドチューブロッドと並行して進行するためのロッドブラケットからなる。ガイドチューブロッドは中空パイプであり、穿孔ロッドに対向する側に長手方向にスリットが設けられ、穿孔ロッドを保持するロッドブラケットの他方端が中空パイプ内に侵入した拡大部を有し、ロッドブラケットがガイドチューブロッドに沿って摺動する。ガイドチューブロッドはその先端部および後端部が中間部よりも大きい径である。ガイドチューブロッドは、先端セントラライザに対して着脱可能である。【選択図】          図１
2005282242.tif 000002
【特許請求の範囲】
【請求項１】
ガイドセルと、このガイドセル上を摺動するドリフターと、このドリフターから延長して設置された穿孔ロッドと、この穿孔ロッド先端に設けられたビットと、前記ガイドセルの先端部に設けられ、前記穿孔ロッドが挿通可能に支持される先端セントラライザと、この先端セントラライザの前方に延長して装着されたガイドチューブロッドと、前記穿孔ロッドを前記ガイドチューブロッドと並行して進行するためのロッドブラケットからなることを特徴とするプレスリットジャンボー。
【請求項２】
ガイドチューブロッドは中空パイプであり、穿孔ロッドに対向する側に長手方向にスリットが設けられ、穿孔ロッドを保持するロッドブラケットの他方端が前記中空パイプ内に侵入した拡大部を有し、前記ロッドブラケットが前記ガイドチューブロッドに沿って摺動する請求項１記載のプレスリットジャンボー。
【請求項３】
ガイドチューブロッドは、その先端部および後端部が中間部よりも大きい径とした請求項１または２記載のプレスリットジャンボー。
【請求項４】
ガイドチューブロッドは、先端セントラライザに対して着脱可能とした請求項１または２記載のプレスリットジャンボー。
【発明の詳細な説明】
【技術分野】
【０００１】
本発明は、トンネル等の掘削に際して、予めトンネルの所要断面内の岩盤にスリットを切削するとともに、発破孔をも穿設可能としたプレスリットジャンボーの改良に関するものである。
【背景技術】
【０００２】
従来から、トンネル等の掘削時にはプレスリットジャンボーを用いて多数の穿孔を設ける基本的な手段は公知である。出願人も、この種のプレスリットジャンボーとして次に示す構成を既に開示し、実際にこれを用いて施工を行っている。
【０００３】
【特許文献１】特開平１−２９５９６号公報
【発明の開示】
【発明が解決しようとする課題】
【０００４】
ところで、掘削対象となる岩盤は、岩種や岩盤の強度、層理や節理による亀裂方向、湧水などの条件によって多種多様な変化をもっている。そして、このような多岐にわたる岩盤に対して連続孔を穿孔するときには、主たる原因として振動によってガイド孔として機能する隣接孔の孔壁が部分的に崩れる場合がある。そうすると、上記先行技術ではガイドチューブがガイド孔に十分に挿通することができなくなってガイドの役割を果たせなくなってしまい、孔曲がりやガイドチューブと穿孔ビットのかみ込みなどが発生し、スムーズな穿孔ができないことがある。
【０００５】
また、先行技術では、プレスリットジャンボーを用いて連続孔を施工しているが、通常ドリルジャンボーにスリット穿孔装置が簡易に装着できないという課題も有していた。先行技術における穿孔作業を説明すると、先ず図５のように隣接孔であるガイド孔にガイドチューブを挿入する。挿入方向は図において右から左の矢印の通りである。続いて、図６のようにガイドチューブがビットを誘導しながら進行し、穿孔が進んでいく。この場合、ロッドブラケットが存在するので、孔間隔を一定に保ちながら穿孔ビットが進むので、ガイド孔と並行に連続孔が形成される。そして、ロッドホルダーが自動的に縮むことにより孔尻が調節され、連続孔の孔底が揃うことになる。しかしながら、上述したようにガイド孔の孔壁が何らかの理由によって崩れている場合には、ガイドチューブが進入することができないので、スムーズに穿孔することができない。
【課題を解決するための手段】
【０００６】
本発明は上述した従来の課題を解決するものであって、ガイド孔の状態に影響されることなくスムーズに穿孔することができ、装着も容易なプレスリットジャンボーを開示することを目的とするものである。
【０００７】
上記目的を達成するための手段として、本発明では、ガイドセルと、このガイドセル上を摺動するドリフターと、このドリフターから延長して設置された穿孔ロッドと、この穿孔ロッド先端に設けられたビットと、前記ガイドセルの先端部に設けられ、前記穿孔ロッドが挿通可能に支持される先端セントラライザと、この先端セントラライザの前方に延長して装着されたガイドチューブロッドと、前記穿孔ロッドを前記ガイドチューブロッドと並行して進行するためのロッドブラケットからなるプレスリットジャンボーを開示する。穿孔ロッドの先端に設けられたビットが岩盤を穿孔するが、ドリフターが穿孔ロッドを駆動する。先端セントラライザは穿孔ロッドを保持するものであって、ビットを直線方向に進行するためのガイドとして機能する。先端セントラライザにはガイドチューブロッドが延長方向に設けられているが、このガイドチューブロッドは先に穿孔した隣接孔をガイド孔としてビットで穿孔するためのものであり、隣接孔に予め挿入してガイドとするものである。
【０００８】
また、ガイドチューブロッドのより詳細な手段として、ガイドチューブロッドを中空パイプとし、穿孔ロッドに対向する側に長手方向にスリットが設けられ、穿孔ロッドを保持するロッドブラケットの他方端が前記中空パイプ内に侵入した拡大部を有し記ロッドブラケットがガイドチューブロッドに沿って摺動するという手段を用いた。ロッドブラケットはスリットを介してガイドチューブロッドの中空部に拡大部を侵入させることによって、ガイドチューブロッドの外周にはビットを進行させるにおいて突出部が存在しない。従って、これによって隣接孔に孔荒れが生じた場合でもロッドブラケットは障害なく摺動する。同じく、ガイドチューブロッドは、その先端部および後端部が中間部よりも大きい径とした。両端部を中間部よりも大きい径とすることによって、両端にて孔壁に安定してガイドチューブロッドを固定することができ、しかも中間部が細いので隣接孔に対する挿入時にも微妙な孔曲がりがあっても比較的容易に挿入することができる。
【０００９】
さらに、ガイドチューブロッドを先端セントラライザに対して着脱可能とした手段では、隣接孔の深さや穿孔深さに応じてガイドチューブロッドを交換することができる。
【発明の効果】
【００１０】
本発明では、上述した手段を採用したので、ロッドブラケットがガイドチューブロッドの外周に突出することはなく、ガイド孔として機能する隣接孔に予めガイドチューブロッドを挿入した際に孔荒れが生じたとしても、ロッドブラケットは支障なくガイドチューブロッドの中空部に沿って摺動することができ、隣接孔の状態を問わず確実な穿孔が可能となった。また、先端セントラライザに対してガイドチューブロッドを着脱可能としたので、穿孔に応じた部品の交換が極めて容易となり、効率の良い穿孔を可能とすることができるようになった。
【発明を実施するための最良の形態】
【００１１】
以下、本発明の好ましい実施の形態を添付した図面に従って説明する。図１は本発明の好ましい実施形態を示した斜視図であって、１はガイドセル、２はドリフター、３は穿孔ロッドであって、先端には穿孔ビット４が設けられている。５はシリンダ、６はガイドチューブロッド、７はロッドブラケット、８は中間セントラライザ、９は先端セントラライザ、１０はホースリールである。装置としては、ガイドセル１が台車などに設けられることになる。また、ドリフター２はガイドセル１に沿って摺動するとともに、穿孔ロッド３を駆動して穿孔ビット４による岩盤の穿孔を行う。この実施形態は、基本的には上記公知技術である特開平１−２９５９６号発明を改良したものであるが、ガイドチューブロッド６をパイプ状としたことを重要とする。図２および図３により詳しく構造を説明すると、ガイドチューブロッド６は中空のパイプ状であり、下面に長さ方向に沿ってスリット１１が設けられている。そして、ロッドブラケット７は穿孔ロッドを保持した状態で、延長部１２がスリット１１を介してガイドチューブロッド６内に嵌入し、拡大部１２の先端の膨張部１３がガイドチューブロッド６内を摺動自在の構成としている。即ち、本実施形態では従来と異なって、ロッドブラケット７がガイドロッドの外周に取り付けられるのではなく、パイプ状に構成されたガイドチューブロッド６の内側を摺動する。図４にガイドチューブロッド６とロッドブラケット７の関係を示す。
【００１２】
このように構成されたプレスリットジャンボーでは、ガイドセル１の先端側に先端セントラライザ９を設け、この先端セントラライザ９から先端方向に延長するようにガイドチューブロッド６を装着固定し、ガイド孔に予めガイドチューブロッド６を必要な穿孔長に見合った長さだけ挿入しておく。次に、シリンダ５によって穿孔ロッド３を駆動してビット４によって穿孔を進める。この場合、ロッドブラケット７はパイプ状のガイドチューブロッド６の内側をガイドとして穿孔ロッド３の進行に応じて進められるので、ガイドチューブロッド６を挿入した後にガイド孔内で孔荒れが生じた場合であっても、ロッドブラケット７は障害なく摺動することができる。また、本実施形態では図２に示すようにガイドチューブロッド６の先端部６ａおよび後端部６ｂの径を中間部６ｃよりも若干太くしている。これによって、ガイドチューブロッド６の両端６ａ・６ｂは孔壁に十分に固定できて安定したガイド機能を果たすと同時に、中間部６ｃが若干細いので隣接孔への挿入に際して微妙に孔曲がりがあっても支障なくガイドチューブロッドを挿入することができる。
【００１３】
一方、本実施形態のさらなる特徴として、ガイドチューブロッド６は先端セントラライザ９に対して装着固定する構成としている。一般にプレスリットジャンボーの場合には穿孔長さを変更するときはガイドロッドの長さを交換する必要があるが、この構成ではガイドチューブロッド６は先端セントラライザ９の先方にのみ設けられているので、交換が容易であると同時に、先端セントラライザ９自体の着脱も容易であり、孔長に応じた装置変更が極めて容易となる。
【産業上の利用可能性】
【００１４】
本発明では、従来から公知であるプレスリットジャンボーの改良によって非常に使用勝手が高い装置となったので、産業上の利用可能性はより高まることになる。
【図面の簡単な説明】
【００１５】
【図１】本発明の一実施形態を示す斜視図
【図２】同、装置先端部を示す拡大斜視図
【図３】同、図２のＡ部のさらなる拡大状態を示す斜視図
【図４】同、図３におけるＢ方向から見た端面図
【図５】従来例の動作初期状態を示す側面図
【図６】従来例の動作中期状態を示す側面図
【符号の説明】
【００１６】
１      ガイドセル
２      ドリフター
３      穿孔ロッド
４      穿孔ビット
５      シリンダ
６      ガイドチューブロッド
６ａ    先端部
６ｂ    後端部
６ｃ    中間部
７      ロッドブラケット
８      中間セントラライザ
９      先端セントラライザ
１０      ホースリール
１１      スリット
１２      延長部  
【図１】
2005282242.tif 000003
【図２】
2005282242.tif 000004
【図３】
2005282242.tif 000005
【図４】
2005282242.tif 000006
【図５】
2005282242.tif 000007
【図６】
2005282242.tif 000008